(57)【要約】【課題】夏は涼しく、冬は乗物用シートを保温することもできるシートカバーを提供する。【解決手段】乗物用シート101上を覆う網目模様をなす伸縮自在な三次元編物２と、この三次元編物２の縁部に取り付けられた取付面材と、この取付面材に設けられ乗物用シート101に取付及び取外可能な取付部と、三次元編物２の片面側を覆う気密シート６とを備える。冬期等の気温が低い状況では、気密シート６を外側にして装着することにより、気密シート６と乗物用シート101との間に三次元編物２の厚さＴに対応した空気断熱層が形成され、使用者は冷たい乗物用シート101に体温が奪われることがなく、快適に着座することができる。また、外側の気密シート６が雨で濡れても、反転して装着することにより、使用者の着衣が濡れることがない。【選択図】図８
2008029752.tif 000002
【特許請求の範囲】
【請求項１】
乗物用シート上を覆う網目模様をなす伸縮自在な三次元編物と、この三次元編物の縁部に取り付けられた取付面材と、この取付面材に設けられ前記乗物用シートに取付及び取外可能な取付部と、前記三次元編物の片面側を覆う気密シートとを備えることを特徴とするシートカバー。
【請求項２】
前記取付部は、前記三次元編物を反転した状態で前記座席用シートに取付及び取外可能なことを特徴とする請求項１記載のシートカバー。
【請求項３】
前記三次元編物より前記気密シートは薄く、この気密シートが前記三次元編物の全面に設けられていることを特徴とする請求項１又は２記載のシートカバー。
【請求項４】
前記取付面材は、前記縁部の前記気密シートと反対側の面に取り付けられていることを特徴とする請求項１〜３のいずれか１項に記載のシートカバー。
【請求項５】
前記取付面材の折返し部により前記三次元編物の前記縁部を囲んだことを特徴とする請求項１〜４のいずれか１項に記載のシートカバー。
【請求項６】
前記三次元編物と前記取付面材と前記気密シートとを、前記三次元編物の前記縁部で溶着したことを特徴とする１〜５のいずれか１項に記載のシートカバー。
【請求項７】
前記取付面材と前記気密シートとは、一体のシート材からなることを特徴とする請求項１〜３のいずれか１項に記載のシートカバー。
【請求項８】
前記三次元編物は、前記乗物用シートの前部側面上部を覆うことを特徴とする請求項１〜７のいずれか１項に記載のシートカバー。
【請求項９】
前記気密シートに表示部を設けたことを特徴とする請求項１〜８のいずれか１項に記載のシートカバー。
【発明の詳細な説明】
【技術分野】
【０００１】
本発明は、自動二輪車などの乗物用シートを覆うシートカバーに関する。
【背景技術】
【０００２】
従来、椅子用のクッションシート材として、二列針床を有するダブルラッセル編機により、網目構造に編成された表編地と裏編地とを連結糸で繋いで三次元編物に構成したもの（例えば特許文献１）や、自動車用シートの表皮として三次元編物を用いるもの（例えば特許文献２）が提案され、その三次元編物は、厚さ方向に適度のクッション性を有し、耐久性、通気性、体圧分散性、振動吸収性に優れると共に、表面に着座者に対する適度の滑り抵抗を有している。
【０００３】
上記特許文献１及び２では、三次元編物をシートと一体な表皮として用いるものであるのに対して、サドルに着脱可能なサドルカバーとして用いる技術も提案されており、このサドルカバーでは、２枚のメッシュ地を張りのある無数の連結糸によって結び付けて、厚みのあるシート状に編成した三次元編物（立体メッシュシート）を素材として用い、サドルを上からすっぽりと包み込む形に形成され、長時間乗っていても蒸れることがなく快適な使用感が得られる（例えば特許文献３）。
【特許文献１】特開２００１−２３４４５６号公報
【特許文献２】特開２００２−３３１６０３号公報
【特許文献３】特開２００１−１３８９７１号公報
【発明の開示】
【発明が解決しようとする課題】
【０００４】
上記サドルカバーでは、三次元編物の通気性により蒸れを防止することができる。
【０００５】
しかし、三次元編物によりサドルを覆っても、サドルは三次元編物を通して外気に晒されるため、冬期等の気温が低い状況では、使用者は冷たいサドルに着座することになる。また、降雨などの際には、カバーを通してサドルが濡れてまうため、乾く前に乗車すると着衣を濡らすという不具合がある。
【０００６】
そこで、本発明は上述した問題点に鑑み、夏は涼しく、冬は乗物用シートを保温することもでき、また、濡れても反転して取り付ければ、着衣を濡らすことがないシートカバーを提供することを目的とする。
【課題を解決するための手段】
【０００７】
請求項１に係る発明は、乗物用シート上を覆う網目模様をなす伸縮自在な三次元編物と、この三次元編物の縁部に取り付けられた取付面材と、この取付面材に設けられ前記乗物用シートに取付及び取外可能な取付部と、前記三次元編物の片面側を覆う気密シートとを備えるものである。
【０００８】
また、請求項２に係る発明は、前記取付部は、前記三次元編物を反転した状態で前記座席用シートに取付及び取外可能なものである。
【０００９】
また、請求項３に係る発明は、前記三次元編物より前記気密シートは薄く、この気密シートが前記三次元編物の全面に設けられているものである。
【００１０】
また、請求項４に係る発明は、前記取付面材は、前記縁部の前記気密シートと反対側の面に取り付けられているものである。
【００１１】
また、請求項５に係る発明は、前記取付面材の折返し部により前記三次元編物の前記縁部を囲んだものである。
【００１２】
また、請求項６に係る発明は、前記三次元編物と前記取付面材と前記気密シートとを、前記三次元編物の前記縁部で溶着したものである。
【００１３】
また、請求項７に係る発明は、前記取付面材と前記気密シートとは、一体のシート材からなるものである。
【００１４】
また、請求項８に係る発明は、前記三次元編物は、前記乗物用シートの前部側面上部を覆うものである。
【００１５】
また、請求項９に係る発明は、前記気密シートに表示部を設けたものである。
【発明の効果】
【００１６】
本発明の請求項１記載の発明によれば、シートカバーを反転して使用した場合、冬期等の気温が低い状況では、気密シートを外側にして装着することにより、気密シートと乗物用シートとの間に三次元編物の厚さに対応した空気断熱層が形成され、乗物用シートが外気に晒されることがなく、使用者は冷たい乗物用シートに体温が奪われることがなく、快適に着座することができる。また、外側の気密シートが雨で濡れても、反転して装着することにより、使用者の着衣が濡れることがない。
【００１７】
一方、炎天下では、気密シートを外側にして装着することにより、気密シートと乗物用シートとの間に三次元編物の厚さに対応した空気断熱層が形成され、乗物用シートの温度上昇を抑制でき、乗車時には三次元編物を外側にして装着することにより、乗物用シートからの熱の移動を抑制できる。
【００１８】
また、請求項２に記載の発明によれば、シートカバーを反転しても、そのまま取付部を用いて乗物用シートに取り付けることができる。
【００１９】
また、請求項３に記載の発明によれば、気密シートにより、メッシュ状をなす三次元編物全面の気密性を保持できる。
【００２０】
また、請求項４に記載の発明によれば、三次元編物の端部を、取付面材と気密シートにより挟んで、それら取付面材と気密シートとに取り付けることができる。
【００２１】
また、請求項５に記載の発明によれば、別部材を用いずに、取付面材の折返し部により、三次元編物の縁部を包み込むと共に、外部から隠すことができる。
【００２２】
また、請求項６に記載の発明によれば、溶着により、三次元編物と取付面材と気密シートとを簡便に接合することができる。
【００２３】
また、請求項７に記載の発明によれば、部品点数を削減でき、生産性を向上できる。
【００２４】
また、請求項８に記載の発明によれば、シートカバーにより、乗物用シートの上面のみならず、側面上部における保温性又は通気性を確保できる。
【００２５】
また、請求項９に記載の発明によれば、従来の三次元織物を用いたシートカバーでは、印刷などして表示部を設けても、編目部分には表示部を設けることができなかったが、気密シートに表示部を設けることにより、略連続した表示部を形成でき、表示部を三次元織物側の面に設けた場合は、三次元織物を通して表示部を視認でき、一方、表示部を三次元織物の反対側の面に設けた場合は、シートカバーを反転した装着状態で、表示部が現れる。
【発明を実施するための最良の形態】
【００２６】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる乗物用シートのシートカバーを採用することにより、従来にないシートカバーが得られ、そのシートカバーを夫々記述する。
【実施例１】
【００２７】
以下、本発明のシートカバーの実施例１について図１〜図８を参照して説明する。まず、シートカバー１を使用する乗物用シートの一例について説明すると、この乗物用シート101は、自動二輪車などに備えるものであり、硬質合成樹脂などからなる基板102上に、クッション材103を配置し、このクッション材103を表皮104で覆うと共に、この表皮104を前記基板102に取り付けてなり、運転者用の前部シート105とこれより高い同乗者用の後部シート106とを前後に連結したタンデム型のシートである。また、前記前部シート105と後部シート106との間には、段部107が形成され、この段部107の下部には、窪み部108がある。尚、前記表皮104の端部は、前記基板102の周縁で、該基板102の裏面側に折り返され、ステープルなどの固定手段により基板102に固定されている。
【００２８】
前記シートカバー１は、前記乗物用シート101に被せて取り付けるものであり、乗物用シート101の略上面101Ａと側面101Ｂ上部を覆うシート状のカバー本体を構成する三次元編物２と、この三次元編物２の縁部３に取り付けられる取付面材４と、この取付面材４の取付部５と、前記三次元編物２の片面側を覆う気密シート６とを備える。尚、それら三次元編物２，取付面材４及び気密シート６は、何れも可撓性シート材である。また、取付面材４は、三次元編物２の全周に設けられている。
【００２９】
前記三次元編物２は、ダブルラッセン織りの三次元立体編物であり、合成樹脂繊維などを用いて立体的な編目構造を有する一定の厚さをもった編物であって、図６〜図８に示すように、編目模様をなす表面層11と裏面層12とを厚さＴの方向に間隔を置いて配置し、それら表面層11と裏面層12とを厚さ方向の連結糸13により連結し、その連結糸13の弾力性により適度なクッション性を備え、それら表面層11と裏面層12は、多角形の編目模様をなし、この例では、菱形の形状をなす。その三次元編物の厚さは、１０ｍｍ程度であるが、５〜２０ｍｍ程度であっても、良好なクッション性と通気性が得られる。尚、三次元編物としては、旭化成工業株式会社製の「ＦＵＳＩＯＮ−１」（商標名）などが例示される。
【００３０】
また、菱形の形状をなす表面層11と裏面層12は、菱形の図心を通る長径が最大となる方向を乗物の走行方向と交差する幅方向に合わせている。
【００３１】
前記三次元編物２の片面側である前記裏面層12に前記気密シート６を設ける。この気密シート６は、前記三次元編物２より薄く、水，空気を実質的に遮断できるシートであって、例えばポリ塩化ビニル（ＰＶＣ）製シートなどが用いられる。前記三次元編物２の前記裏面層12に接着，縫着，溶着などの各種手段を用いて前記気密シート６が取り付けられる。また、前記気密シート６は、前記三次元編物２と同一の大きさか、三次元編物２より広く、該三次元編物２の全面に設けられ、前記裏面層12における水と空気の通過を遮断している。したがって、気密シート６を設けた面と反対の表面層11における通気性は確保されており、また、表面層11と裏面層12との間の三次元編物２の厚さ直行方向の通気性も確保されている。
【００３２】
前記取付面材４の内側縁４Ｕは、前記縁部３の表側である表面層11に取り付けられ、その表面層11は、前記気密シート６を設けた裏面層11とは反対側の面である。そして、前記取付面材４の内側縁４Ｕを裏面側に折返した折返し部21を形成し、この折返し部21より内側の内側縁４Ｕを、糸22により前記縁部３と気密シート６に縫着する。この場合、三次元編物２は溶着可能な合成樹脂製繊維の編物であり、取付面材４及び気密シート６が溶着可能な合成樹脂製シートであれば、これら三次元編物２の縁部３，取付面材４及び気密シート６の三者を溶着により接合することもできる。尚、図６に示すように、糸22，22により２つの縫い目を略平行に設けている。また、以下の例も２つの縫い目を略平行に設けている。
【００３３】
また、取付面材４の外側縁４Ｓを裏面側に折り返して折返し部23を形成し、この折返し部23内に環状の伸縮材24を配置し、折返し部23の重ね合わせ部分を糸25で袋状に縫着して前記取付部５を形成する。すなわち、外側縁４Ｓと伸縮材24により取付部５を構成している。尚、前記伸縮材24は、ゴム紐などからなり、前記取付面材４の環状をなす外側縁４Ｓの周方向寸法を狭める弾性力を有する。
【００３４】
そして、図７及び図８（Ａ）に示すように、気密シート６を下にして乗物用シート101にシートカバー１を装着すれば、三次元編物２の通気性を確保することができ、また、乗物用シート101の表皮104に、三次元編物２が接することがなく、気密シート６により表皮104が保護される。また、気密シート６を上にして乗物用シート101にシートカバー１を装着すれば、図８（Ｂ）に示すように、気密シート６と乗物用シート101との間に、三次元編物２の厚さＴに対応した空気断熱層が形成され、冬期等の気温の低い状況でも、乗物用シート101が極端に冷たくなることがなく、一方、炎天下でも、乗物用シート101が高温になることがなく、使用時に、気密シート６を反転して三次元編物２を上とし、快適に着座することができる。
【００３５】
また、図８（Ａ）の状態で、シートカバー１が濡れると、着衣が濡れてしまうが、図８（Ｂ）の状態で、雨などによりシートカバー１が濡れても、反転して装着することにより、着衣が濡れることがない。
【００３６】
このように本実施例では、請求項１に対応して、乗物用シート101上を覆う網目模様をなす伸縮自在な三次元編物２と、この三次元編物２の縁部３に取り付けられた取付面材４と、この取付面材４に設けられ乗物用シート101に取付及び取外可能な取付部５と、三次元編物２の片面側を覆う気密シート６とを備えるから、シートカバー１を反転して使用した場合、冬期等の気温が低い状況では、気密シート６を外側にして装着することにより、気密シート６と乗物用シート101との間に三次元編物２の厚さＴに対応した空気断熱層が形成され、乗物用シート101が外気に晒されることがなく、使用者は冷たい乗物用シート101に体温が奪われることがなく、快適に着座することができる。また、外側の気密シート６が雨で濡れても、反転して装着することにより、使用者の着衣が濡れることがない。
【００３７】
一方、炎天下では、気密シート６を外側にして装着することにより、気密シート６と乗物用シート101との間に三次元編物２の厚さＴに対応した空気断熱層が形成され、乗物用シート101の温度上昇を抑制でき、乗車時には三次元編物２を外側にして装着することにより、乗物用シート101からの熱の移動を抑制できる。そして、三次元編物２の通気性と併せて、快適に乗車することができる。
【００３８】
また、このように本実施例では、請求項２に対応して、取付部５は、三次元編物２を反転した状態で座席用シート101に取付及び取外可能であるから、シートカバー１を反転しても、そのまま取付部５を用いて乗物用シート101に取り付けることができる。
【００３９】
また、このように本実施例では、請求項３に対応して、三次元編物２より気密シート６は薄く、この気密シート６が三次元編物２の全面に設けられているから、気密シート６により、メッシュ状をなす三次元編物２全面の気密性を保持できる。
【００４０】
また、このように本実施例では、請求項４に対応して、取付面材４は、縁部３の気密シート６と反対側の面に取り付けられているから、三次元編物２の縁部３を、取付面材４と気密シート６とにより挟んで、それら取付面材４と気密シート６とに取り付けることができる。
【００４１】
また、このように本実施例では、請求項６に対応して、三次元編物２と取付面材４と気密シート６とを、三次元編物２の縁部３で溶着したから、溶着により、三次元編物２と取付面材４と気密シート６とを簡便に接合することができる。
【００４２】
また、このように本実施例では、請求項８に対応して、三次元編物２は、乗物用シート101の前部の側面102Ｂの上部を覆うから、シートカバー１により、乗物用シート101の上面101Ａのみならず、側面上部02Ｂにおける保温性又は通気性を確保できる。
【実施例２】
【００４３】
図９は、本発明の実施例２を示し、上記実施例１と同一部分に同一符号を付し、その詳細な説明を省略して詳述すると、同図は、三次元編物２の縁部３と取付面材４との接合箇所の変形例を示し、前記取付面材４の内側縁４Ｕを表面側に折返して略Ｕ形の折返し部26を形成し、この折返し部26により前記縁部３を包み込み、この状態で折返し部26と縁部３とを糸27により縫着し、あるいは折返し部26と縁部３とを溶着する。さらに、三次元編物２の表面層11側で、前記取付面材４を裏面側に折返して折返し部28を形成し、取付面材４の取付部５を、表面層11を上にした三次元編物２の下側に配置する。
【００４４】
このように本実施例においても、上記実施例と同様な作用・効果を奏し、また、このように本実施例では、請求項５に対応して、取付面材４の途中に形成した折返し部26により三次元編物２の縁部３を囲んだから、別部材を用いずに、取付面材４の折返し部26により、三次元編物２の縁部３を包み込んで保護すると共に、外観上、外部から隠すことができる。
【実施例３】
【００４５】
図１０は、本発明の実施例３を示し、上記各実施例と同一部分に同一符号を付し、その詳細な説明を省略して詳述すると、同図は、三次元編物２の縁部３と取付面材４との接合箇所の変形例を示し、この例では、上記実施例１において、三次元編物２の縁部３の裏面に当帯29を設け、この当帯29は気密シート６に重ねて設けられており、前記折返し部21より内側の内側縁４Ｕを、糸22により前記縁部３と気密シート６と当帯29とに縫着する。
【００４６】
このように本実施例においても、上記実施例と同様な作用・効果を奏し、また、当帯29を用いることにより、縁部３を保護し、接着，縫着，溶着などの接合が容易となる。
【００４７】
尚、各実施例において、本実施例と同様に裏面層12側に当帯29を用いてもよい。
【実施例４】
【００４８】
図１１は、本発明の実施例４を示し、上記各実施例と同一部分に同一符号を付し、その詳細な説明を省略して詳述すると、同図は、三次元編物２の縁部３と取付面材４，４Ａとの接合箇所の変形例を示し、この例では、上記実施例１の取付面材４と、該取付面材４と同一構成の取付面材４Ａとを用い、この取付面材４Ａの内側縁４Ｕは、前記縁部３の裏面層12側の前記気密シート６に重ねて該縁部３に取り付けられる。尚、前記取付面材４の裏面と前記取付面材４Ａの裏面を合わせて両者は重ねられる。そして、前記取付面材４Ａの内側縁４Ｕを裏面側に折返して折返し部21Ａを形成し、この折返し部21Ａより内側の内側縁４Ｕと前記縁部３と気密シート６と前記折返し部21より内側の内側縁４Ｕとを、前記糸22により縫着する。
【００４９】
また、取付面材４Ａの外側縁４Ｓを裏面側に折り返して折返し部23Ａを形成し、この折返し部23Ａ内に環状の伸縮材24Ａを配置し、折返し部23Ａの重ね合わせ部分を糸25Ａで袋状に縫着して取付部５を形成する。尚、伸縮材24Ａはゴム紐などからなる。
【００５０】
また、前記取付面材４，４Ａ同士は、適宜位置で接合され、例えば、外側縁４Ｓ側を縫着，接着又は溶着して少なくとも一部を接合する。
【００５１】
このように本実施例においても、上記実施例と同様な作用・効果を奏し、また、両取付面材４，４Ａに挟んで縁部３を保護し、シートカバー１を反転しても、縁部３が露出することがない。
【実施例５】
【００５２】
図１２は、本発明の実施例５を示し、上記各実施例と同一部分に同一符号を付し、その詳細な説明を省略して詳述すると、この例では、略Ｕ字状に形成した縁帯31により三次元編物２の縁部３と気密シート６の縁部とを包み、三次元編物２の表裏一側で、前記縁帯31に、前記取付面材４の内側縁４Ｕを重ね合わせ、この例では、三次元編物２の裏面側に前記内側縁４Ｕを重ね合わせ、それら縁帯31，端縁３及び取付面材４を糸22により縫着する。この場合、三次元編物２は溶着可能な合成樹脂製繊維の編物であり、取付面材４，気密シート６及び縁帯31が溶着可能な材質であれば、これら三次元編物２の縁部３，取付面材４，気密シート６及び縁帯31の四者を溶着により接合することもできる。尚、縁帯31は、三次元編物２の全周に設けられている。
【００５３】
このように本実施例においても、上記実施例と同様な作用・効果を奏し、また、気密シート６の端部及び縁部３の端面が露出せず、縁帯31により美観が向上する。
【実施例６】
【００５４】
図１３は、本発明の実施例６を示し、上記各実施例と同一部分に同一符号を付し、その詳細な説明を省略して詳述すると、この例では、三次元編物２の縁部３と取付面材４の接合箇所に玉縁33を用い、この玉縁33は、合成樹脂製であって、板状をなす取付辺34の一端に筒状の玉飾り部35が一体成形された可撓性を有する長尺部材である。
【００５５】
そして、前記取付面材４の内側縁４Ｕを裏面側に折返した折返し部32の端部と三次元編物２の縁部３との間に、前記取付辺34を挟んだ状態で、これら重ね合わせた折返し部32の端部と取付辺34と縁部３と気密シート６の縁部とを、略Ｕ字形の縁帯36により包み、縁帯36と共に糸37により縫着する。尚、縫着以外にも、接着や溶着を用いても良い。
【００５６】
このように本実施例においても、上記実施例と同様な作用・効果を奏し、また、玉縁33により三次元編物２の縁部３と気密シート６の縁部と取付面材４との接合箇所が保護されると共に、外観意匠性の向上が図られる。
【実施例７】
【００５７】
図１４は、本発明の実施例７を示し、上記各実施例と同一部分に同一符号を付し、その詳細な説明を省略して詳述すると、この例では、上記実施例６の玉縁33を用いずに、重ね合わせた折返し部32の端部と縁部３と気密シート６の縁部とを、略Ｕ字形の縁帯36により包み、縁帯36と共に糸37により縫着する。尚、縫着以外にも、接着や溶着を用いても良い。
【００５８】
このように本実施例においても、上記実施例と同様な作用・効果を奏し、また、縁帯36により折返し部32の端部と縁部３と気密シート６の縁部とが包まれると共に、外部に露出することがない。
【実施例８】
【００５９】
図１５は、本発明の実施例８を示し、上記各実施例と同一部分に同一符号を付し、その詳細な説明を省略して詳述すると、この例では、前記気密シート６と取付面材４とを１枚のシート材から形成し、具体的には、気密シート６と取付面材４の大きさを合わせた取付面材一体型の気密シート７を形成し、略Ｕ字状に形成した前記縁帯31により三次元編物２の縁部３を包み込み、これら縁帯31と縁部３と前記気密シート７とを糸22により縫着する。或いは、縫着の代わりに接着や溶着でもよい。
【００６０】
また、前記気密シート７の取付面材４の外側縁４Ｓを、裏面側に折り返して折返し部23を形成し、この折返し部23内に環状の伸縮材24を配置し、折返し部23の重ね合わせ部分を糸25で袋状に縫着して前記取付部５を形成する。
【００６１】
このように本実施例においても、上記実施例と同様な作用・効果を奏し、また、このように本実施例では、請求項７に対応して、取付面材４と気密シート６とは、一体のシート材である気密シート７からなるから、部品点数を削減でき、生産性を向上できる。
【実施例９】
【００６２】
図１６は、本発明の実施例９を示し、上記各実施例と同一部分に同一符号を付し、その詳細な説明を省略して詳述すると、この例では、前記気密シート６の表裏面に、図形，文字，記号などの表示部38，39をそれぞれ設けている。尚、気密シート６の表面とは、シートカバー１を反転した状態で上側となる面である。また、表示部38，39は印刷などを用いることにより気密シート６に簡便に設けることができる。
【００６３】
したがって、シートカバー１をシート101に装着した状態で、メッシュ状をなす三次元編物２を通して、気密シート６の裏面の表示部39を視認することができ、シートカバー１を反転してシート101に装着した状態で、上になった気密シート６の表面の表示部38を視認することができる。
【００６４】
このように本実施例においても、上記実施例と同様な作用・効果を奏し、また、このように本実施例では、請求項９に対応して、気密シート６に表示部38，39を設けたから、従来の三次元織物を用いたシートカバーでは、印刷などして表示部を設けても、編目部分には表示部を設けることができなかったが、本実施例のように気密シート６に表示部38，39を設けることにより、略連続した表示部38を形成でき、表示部38を三次元織物２側の面に設けた場合は、三次元織物２を通して表示部38を視認でき、一方、表示部39を三次元織物２の反対側の面に設けた場合は、シートカバー１を反転した装着状態で、上面側に表示部39が現れる。
【実施例１０】
【００６５】
図１７は、本発明の実施例１０を示し、上記各実施例と同一部分に同一符号を付し、その詳細な説明を省略して詳述すると、この例では、菱形の形状をなす表面層11と裏面層12は、菱形の図心を通る長径Ｌが最大となる方向を、図１７（Ａ）に示すように、乗物の走行方向Ｆに合わせ、または、図１７（Ｂ）に示すように走行方向Ｆと鋭角に交差する方向に合わせている。
【００６６】
したがって、長径Ｌが走行方向に並んで複数の菱形形状が表れるため、シャープな印象を受ける外観が得られ、また、操縦においては、幅方向の体重移動における安定感が向上する。
【実施例１１】
【００６７】
図１８〜図２０は、本発明の実施例１１を示し、上記各実施例と同一部分に同一符号を付し、その詳細な説明を省略して詳述すると、同図に示すように、運転者が着座する乗物用シート101´は、自動二輪車111の車体フレーム112に配置され、前記乗物用シート101´の後方に乗客が着座するための後部シート113が設けられている。
【００６８】
前記自動二輪車111は、シートレール114に囲まれた内部にラゲッジボックス115が設けられており、このラゲッジボックス115の前端部に設けられた枢着部（図示せず）を介して回動自在に設けられ、乗物用シート101´を車体前方側に傾倒させることによりラゲッジボックス115が開き、乗物用シート101´を閉状態とすることにより、ラゲッジボックス115の上方を覆い密閉することができる。
【００６９】
乗物用シート101´には、ラゲッジボックス115の後端部に施錠手段116が設けられている。これにより乗物用シート101´は、閉状態で施錠手段116を施錠することによって開状態となることが規制され、イグニッションキーを操作して走行可能状態で開閉操作部を操作することによってのみ施錠手段116を解錠することができるように構成されている。
【００７０】
前記後部シート113は、乗物用シート101´と別体に構成されており、リアキャリア一体型グラブレール117に着脱自在に装着される。
【００７１】
ここでリアキャリア一体型グラブレール117は、後端部に設けたリアキャリア部118の上面部に複数（例えば４つ）の装着用孔部119が穿設されており、バックレスト装置120が図示しないゴムダンパを介してねじにより装着用孔部119に取り付けられる。
【００７２】
上記乗物用シート101´に前記シートカバー１を装着した状態で、取付面材４の取付部５は、前記乗物用シート101´の基板102の底面側に沿う。そして、シートカバー１を装着した乗物用シート101´を閉めると、前記ラゲッジボックス115の開口縁部115Ａと前記基板102の周縁部102Ａとの間に、取付面材４が挟まれた状態となり、乗物用シート101´の使用状態では、シートカバー１を外すことができない。
【００７３】
このように本実施例においても、上記実施例と同様な作用・効果を奏し、また、取付面材４の自由端側である取付部５側は、乗物用シート101を閉めた状態で、乗物用シート101側の基板102と車体側であるラゲッジボックス115の開口縁部115Ａとの間に挟まれて固定されると共に、乗物用シート101の施錠状態では、乗物用シート101からシートカバー１を取り外すことができない。
【実施例１２】
【００７４】
図２１は、本発明の実施例１２を示し、上記各実施例と同一部分に同一符号を付し、その詳細な説明を省略して詳述すると、この例では、シートカバー１の幅方向両側で、取付面材４の外側縁４Ｓ側に、帯体41，42の基端をそれぞれ取り付け、これら帯体41，42の先端41Ｓ，42Ｓに、相互に係脱可能な係止手段たる面ファスナ43，44を設けており、乗物用シート101´にシートカバー１を装着し、その乗物用シート101´の基板102の下面側で、前記帯体41，42の面ファスナ43，44を係止した後、乗物用シート101´を閉めると、帯体41，42の基端は、前記ラゲッジボックス115の開口縁部115Ａの内側となる。
【００７５】
したがって、乗物用シート101´を施錠した状態では、外部から帯体41，42を操作することができず、面ファスナ43，44の係止が解除されることもない。
【実施例１３】
【００７６】
図２２は、本発明の実施例１３を示し、上記各実施例と同一部分に同一符号を付し、その詳細な説明を省略して詳述すると、この例では、上記実施例１において、縁部３の端部の糸22により、折返し部21より内側の内側縁４Ｕと縁部３と気密シート６の縁部とを縫着し、さらに、前記糸22の内側で略平行の縫い目となる糸22Ａにより、折返し部21の二重部分と縁部３と気密シート６の縁部とを縫着している。尚、糸22の縫い目は縁部３の端部に近い外側であり、糸22Ａの縫い目は縁部３の端部から離れた内側に位置する。
【００７７】
そして、上記シートカバー１は、自動二輪車や四輪車の乗物用シート101，101´のシートカバー１として、量産工程の安定が可能で、品質、量産性、商品性に優れたものとなる。また、厚さに差のある三次元編物２と気密シート６とをミシン糸を用いて安定して縫製できる。
【００７８】
また、このように本実施例において、上記各実施例と同様な作用・効果を奏し、また、例えば、ポリ塩化ビニル（ＰＶＣ）製の気密シート６を用い、この気密シート６に、表示部たるデザイン柄（図示せず）を印刷し、表面側から三次元編物２を通して、気密シート６の色及び前記デザイン柄が視認され、三次元編物２を用いたシートカバーにおいて、従来にない意匠性の向上を図ることができる。
【実施例１４】
【００７９】
図２３は、本発明の実施例１４を示し、上記各実施例と同一部分に同一符号を付し、その詳細な説明を省略して詳述すると、この例では、上記実施例１３において、前記縁部３の外側に気密シート６の縁部を延設し、この気密シート６の縁部を裏面側に折り返して折返し部71を形成し、この折返し部71の二重部分を前記取付面材４の裏面に、糸72により縫着する。
【００８０】
また、取付面材４の外側縁４Ｓを裏面側に折り返して外端折返し部73と前記折返し部23とを形成すると共に、前記外端折返し部73は取付面材４の裏面に接して、前記折返し部23内に取付面材４の外側縁４Ｓの端部が隠れ、前記折返し部23内に環状の前記伸縮材24を配置し、外側折返し部73の二重部分とこれと重なる取付面材４の部分とを、前記糸25で袋状に縫着して前記取付部５を形成する。すなわち、外側縁４Ｓと伸縮材24により取付部５を構成している。
【００８１】
このように本実施例においても、上記実施例と同様な作用・効果を奏し、また、取付面材４と気密シート６の折返し部71とを接合することにより、三次元織物２の端部３と気密シート６の端部とが、取付面材４の裏面と気密シート６の裏面との間に隠れ、また、外端折返し部73を形成することにより、取付面材４の端部が隠れ、したがって、シートカバー１を反転しても、三次元編物２，取付面材４及び気密シート６の端部が外部に露出することがない。
【実施例１５】
【００８２】
図２４は、本発明の実施例１５を示し、上記各実施例と同一部分に同一符号を付し、その詳細な説明を省略して詳述すると、この例では、上記実施例１４において、前記縁部３の外側に延設した気密シート６の縁部の一重部分を、前記取付面材４の裏面に、糸74により縫着し、三次元編物２の縁部３が、取付面材４の裏面と気密シート６の裏面との間に隠れる。
【００８３】
このように本実施例においても、上記実施例と同様な作用・効果を奏し、また、シートカバー１を反転しても、三次元編物２及び取付面材４の端部が外部に露出することがない。
【実施例１６】
【００８４】
図２５は、本発明の実施例１６を示し、上記各実施例と同一部分に同一符号を付し、その詳細な説明を省略して詳述すると、この例では、シートカバー２を反転して乗物用シート101，101´に取り付けた状態で、気密シート６が上側に位置しており、取付面材４の内側縁４Ｕをそのまま三次元編物２の表面に重ね、この状態で、取付面材４の内側縁４Ｕと三次元編物２と気密シート６とを糸22，22により縫着している。
【００８５】
このように本実施例においても、上記実施例と同様な作用・効果を奏する。
【実施例１７】
【００８６】
図２６は、本発明の実施例１７を示し、上記各実施例と同一部分に同一符号を付し、その詳細な説明を省略して詳述すると、同図は、三次元編物２の縁部３を糸によりかがる例を示し、図２６（Ａ）に示すように、前記三次元編物２の表面に、前記取付面材４を重ね、この状態で取付面材４は裏面が上に位置し、まず、三次元編物２の縁部３と取付面材４とを糸74により縫着する。
【００８７】
次に、図２６（Ｂ）に示すように、重ね合わされた三次元編物２の縁部３と取付面材４の縁部とを糸75によりかがり、縁かがり部76を形成する。
【００８８】
この後、図２６（Ｃ）に示すように、取付面材４を外側に反転して該取付面材４に折返し部77を形成し、この折返し部77の二重部分と前記三次元編物２とを、前記糸74の縫い目より内側で、糸78により縫着する。
【００８９】
このように本実施例においても、上記実施例と同様な作用・効果を奏し、また、このように本実施例では、三次元編物２の縁部３と取付面材４とを縫着し、それら三次元編物２の縁部３と取付面材４の端縁を糸75でかがって縁かがり部76を形成し、取付面材４を反転した折返し部77の二重部分と三次元編物２とを縫着したから、三次元編物２の縁部３のほつれを防止し、糸による縫製強度が得られ、仕上がりが綺麗なものとなる。
【実施例１８】
【００９０】
図２７は、本発明の実施例１８を示し、上記各実施例と同一部分に同一符号を付し、その詳細な説明を省略して詳述すると、この例では、上記実施例１７において、三次元編物２の裏面側に前記気密シート６を設けている。
【００９１】
このように本実施例においても、上記実施例と同様な作用・効果を奏し、また、このように本実施例では、三次元編物２の縁部３と取付面材４と気密シート６を縫着し、それら三次元編物２の縁部３と取付面材４の端縁と気密シート６の端縁とを糸75でかがって縁かがり部76を形成し、取付面材４を反転した折返し部77の二重部分と三次元編物２と気密シート６を縫着したから、三次元編物２の縁部３のほつれを防止し、糸による縫製強度が得られ、仕上がりが綺麗なものとなる。
【実施例１９】
【００９２】
図２８は、本発明の実施例１９を示し、上記各実施例と同一部分に同一符号を付し、その詳細な説明を省略して詳述すると、この例では、三次元編物２の縁部３の裏面に当帯29を設け、糸22により、折返し部21より内側の内側縁４Ｕと縁部３と前記当帯29とを縫着し、さらに、前記糸22の外側で略平行の縫い目となる糸22Ａにより、折返し部21の二重部分と縁部３と当帯29とを縫着している。
【００９３】
このように本実施例においても、上記実施例と同様な作用・効果を奏し、また、上記シートカバー１は、自動二輪車や四輪車の乗物用シートのシートカバー１として、量産工程の安定が可能で、品質、量産性、商品性に優れたものとなる。また、厚さに差のある三次元編物２と取付面材４とをミシン糸を用いて安定して縫製できる。
【実施例２０】
【００９４】
図２９は、本発明の実施例２０を示し、上記各実施例と同一部分に同一符号を付し、その詳細な説明を省略して詳述すると、同図は、三次元編物２の縁部３と取付面材４との接合箇所の変形例を示し、前記取付面材４の内側縁４Ｕを表面側に折返して略Ｕ形の折返し部26を形成し、この折返し部26により前記縁部３を包み込み、この状態で折返し部26と縁部３とを糸22により縫着し、さらに、前記糸22の内側で略平行の縫い目となる糸22Ａにより、折返し部21の二重部分と縁部３と当帯29とを縫着している。
【実施例２１】
【００９５】
図３０は、本発明の実施例２１を示し、上記各実施例と同一部分に同一符号を付し、その詳細な説明を省略して詳述すると、この例では、上記実施例１９において、帯板29を用いることなく、縁部３に取付面材４の内側縁４Ｓを糸22，22Ａにより縫着しており、部品点数を削減できる。
【実施例２２】
【００９６】
図３１は、本発明の実施例２２を示し、上記各実施例と同一部分に同一符号を付し、その詳細な説明を省略して詳述すると、この例では、三次元織物２の縁部３に、前記折返し部21より内側の内側縁４Ｕを溶着により形成した溶着部81により接合している。
【００９７】
このように本実施例においても、上記実施例と同様な作用・効果を奏し、また、前記折返し部21より内側の内側縁４Ｕを溶着したから、溶着部81は、折返し部21の裏面側に隠れることになる。
【００９８】
本発明は、本実施形態に限定されるものではなく、本発明の要旨の範囲内で種々の変形実施が可能である。例えば、実施例で縫着を用いた箇所は、溶着や接着に変えてもよく、或いは縫着，溶着，接着を適宜組み合わせて用いてもよい。また、三次元織物の網目模様は、実施例の菱形に限らず、六角形や四角形などの多角形や、ほぼ円形や楕円形などでもよく、その形状は適宜選定可能である。
【図面の簡単な説明】
【００９９】
【図１】本発明の実施例１を示す斜視図であり、図１（Ａ）は装着状態のシートカバー、図１（Ｂ）は乗物用シートを示す。
【図２】同上、装着状態のシートカバーの平面図である。
【図３】同上、装着状態において乗物用シートを図示省略したシートカバーの底面図である。
【図４】同上、装着状態のシートカバーの側面図である。
【図５】同上、乗物用シートの断面図である。
【図６】同上、シートカバーの要部の断面図である。
【図７】同上、取付状態のシートカバーの要部の断面図である。
【図８】同上、カバー本体の断面図であり、図８（Ａ）は気密シートを裏面側にした状態、図８（Ｂ）は気密シートを表面側にした状態を示す。
【図９】本発明の実施例２を示す取付状態のシートカバーの要部の断面図である。
【図１０】本発明の実施例３を示す取付状態のシートカバーの要部の断面図である。
【図１１】本発明の実施例４を示す取付状態のシートカバーの要部の断面図である。
【図１２】本発明の実施例５を示す取付状態のシートカバーの要部の断面図である。
【図１３】本発明の実施例６を示す取付状態のシートカバーの要部の断面図である。
【図１４】本発明の実施例７を示す取付状態のシートカバーの要部の断面図である。
【図１５】本発明の実施例８を示す取付状態のシートカバーの要部の断面図である。
【図１６】本発明の実施例９を示し、図１６（Ａ）は装着状態のシートカバーの平面図、図１６（Ｂ）は装着状態において乗物用シートを図示省略したシートカバーの底面図である。
【図１７】本発明の実施例１０を示すカバー本体の要部の平面説明図である。
【図１８】本発明の実施例１１を示す乗物の要部の斜視図である。
【図１９】同上、乗物用シートを開いた状態の乗物の要部の斜視図である。
【図２０】同上、乗物用シートを閉めた状態の要部の断面図である。
【図２１】本発明の実施例１２を示す乗物用シートを閉めた状態の要部の断面図である。
【図２２】本発明の実施例１３を示すシートカバーの要部の断面図である。
【図２３】本発明の実施例１４を示すシートカバーの要部の断面図である。
【図２４】本発明の実施例１５を示すシートカバーの要部の断面図である。
【図２５】本発明の実施例１６を示すシートカバーの要部の断面図である。
【図２６】本発明の実施例１７を示すシートカバーの要部の断面図である。
【図２７】本発明の実施例１８を示すシートカバーの要部の断面図である。
【図２８】本発明の実施例１９を示すシートカバーの要部の断面図である。
【図２９】本発明の実施例２０を示すシートカバーの要部の断面図である。
【図３０】本発明の実施例２１を示すシートカバーの要部の断面図である。
【図３１】本発明の実施例２２を示すシートカバーの要部の断面図である。
【符号の説明】
【０１００】
１  シートカバー
２  三次元織物
３  縁部
４  取付面材
５  取付部
６  気密シート
７  気密シート
11  表面層
12  裏面層
13  連結糸
26  折返し部
38  表示部
39  表示部
101  乗物用シート
101´  乗物用シート
101Ａ  上面
101Ｂ  側面
111  自動二輪車（乗物）
【図１】
2008029752.tif 000003
【図２】
2008029752.tif 000004
【図３】
2008029752.tif 000005
【図４】
2008029752.tif 000006
【図５】
2008029752.tif 000007
【図６】
2008029752.tif 000008
【図７】
2008029752.tif 000009
【図８】
2008029752.tif 000010
【図９】
2008029752.tif 000011
【図１０】
2008029752.tif 000012
【図１１】
2008029752.tif 000013
【図１２】
2008029752.tif 000014
【図１３】
2008029752.tif 000015
【図１４】
2008029752.tif 000016
【図１５】
2008029752.tif 000017
【図１６】
2008029752.tif 000018
【図１７】
2008029752.tif 000019
【図１８】
2008029752.tif 000020
【図１９】
2008029752.tif 000021
【図２０】
2008029752.tif 000022
【図２１】
2008029752.tif 000023
【図２２】
2008029752.tif 000024
【図２３】
2008029752.tif 000025
【図２４】
2008029752.tif 000026
【図２５】
2008029752.tif 000027
【図２６】
2008029752.tif 000028
【図２７】
2008029752.tif 000029
【図２８】
2008029752.tif 000030
【図２９】
2008029752.tif 000031
【図３０】
2008029752.tif 000032
【図３１】
2008029752.tif 000033